(57)【要約】【課題】貫通孔を介しての非浸水領域への浸水を、簡易かつ十分に防止できる技術を提供する。【解決手段】ワイヤーハーネス１０の配索構造１００は、少なくとも１本の電線を有するワイヤーハーネス本体部１を、浸水領域の内と外とを仕切るパネル８に形成された貫通孔８０に貫通配索させる。配索構造１００は、ワイヤーハーネス本体部１に外装されて、貫通孔８０に装着されるグロメット２と、長手方向に沿って形状を維持するように形成された長尺部材であり、グロメット２に取り付けられる経路規制部材３とを備える。経路規制部材３における、浸水領域に配置される部分の少なくとも一部は、下方に向けて傾斜しており、ワイヤーハーネス本体部１が、経路規制部材３の当該傾斜した部分に沿って配設される。【選択図】図１
2013128352.tif 000002
【特許請求の範囲】
【請求項１】
少なくとも１本の電線を有するワイヤーハーネス本体部を、浸水領域の内と外とを仕切るパネルに形成された貫通孔に貫通配索させる、ワイヤーハーネスの配索構造であって、
前記ワイヤーハーネス本体部に外装されて、前記貫通孔に装着されるグロメットと、
長手方向に沿って形状を維持するように形成された長尺部材であり、前記グロメットに取り付けられる経路規制部材と、
を備え、
前記経路規制部材における、前記浸水領域に配置される部分の少なくとも一部が、下方に向けて傾斜しており、
前記ワイヤーハーネス本体部が、前記経路規制部材の前記傾斜した部分に沿って配設される、
ワイヤーハーネスの配索構造。
【請求項２】
請求項１に記載のワイヤーハーネスの配索構造であって、
前記経路規制部材が、筒状の部材であり、
前記ワイヤーハーネス本体部が、前記経路規制部材の筒内部に挿通される、
ワイヤーハーネスの配索構造。
【請求項３】
請求項１に記載のワイヤーハーネスの配索構造であって、
前記経路規制部材が、下向きに開く樋状の部材であり、
前記ワイヤーハーネス本体部が、前記経路規制部材の溝内部に沿って配設される、
ワイヤーハーネスの配索構造。
【請求項４】
請求項１から３のいずれか一つに記載のワイヤーハーネスの配索構造であって、
前記経路規制部材が、
前記経路規制部材の外周面に形成され、前記経路規制部材を把持する際の指の引っ掛かりとなる把持用突起部、
をさらに備える、ワイヤーハーネスの配索構造。
【請求項５】
請求項１から４のいずれか一つに記載のワイヤーハーネスの配索構造であって、
前記グロメットの内部に前記経路規制部材が挿通され、前記グロメットが、その内部に挿通された前記経路規制部材を外周側から締め付けることによって、前記経路規制部材が前記グロメットに取り付けられる、
ワイヤーハーネスの配索構造。
【請求項６】
少なくとも１本の電線を有するワイヤーハーネス本体部と、
浸水領域の内と外とを仕切るパネルに形成された貫通孔に装着されるグロメットと、
長手方向に沿って形状を維持するように形成された長尺部材であり、前記グロメットに取り付けられる経路規制部材と、
を備え、
前記経路規制部材における、前記浸水領域に配置される部分の少なくとも一部が、下方に向けて傾斜しており、
前記ワイヤーハーネス本体部が、前記経路規制部材の前記傾斜した部分に沿って配設される、
ワイヤーハーネス。
【発明の詳細な説明】
【技術分野】
【０００１】
浸水領域の内と外とを仕切るパネルに形成された貫通孔に電線を貫通配索させる、ワイヤーハーネスの配索構造に関する。
【背景技術】
【０００２】
自動車などの車両内において、エンジンルームなどの浸水領域から、車室内などの非浸水領域に、束ねられた電線群を引き込む場合、エンジンルームと車室内とを仕切る車体パネルに形成された貫通孔に、グロメットを装着し、このグロメットの内部を通して電線群を車体パネルに挿通させるということが従来から行われている。この配索態様においては、グロメットが、その外周縁が車体パネルに形成された貫通孔の内周縁と密着状態とされることによって、グロメットと貫通孔との間から非浸水領域に水が侵入することが防止される。
【０００３】
ところで、上述した配索態様においては、グロメット内の電線群間の隙間からの浸水を防止するための措置をとっておく必要がある。一般的には、グロメット内の電線群間の隙間に、シリコーン等の止水剤を充填させて、当該隙間をシールする、という措置が採用されることが多い。また、グロメット内の電線群間の隙間からの浸水を防止するための他の技術として、特許文献１には、浸水領域において、グロメット付近におけるワイヤーハーネスの露出部を筒状の部材で被う構成が記載されている。また、特許文献２には、浸水領域において、ワイヤーハーネスの電線分岐位置を、グロメットへの挿通位置よりも低い位置におく構成が、記載されている。また、ワイヤーハーネスの経路途中に止水構造を設ける技術として、特許文献３には、内部に止水壁部が設けられた筒状の部材でワイヤーハーネスを被う構成が、記載されている。
【先行技術文献】
【特許文献】
【０００４】
【特許文献１】特開２００９−２０７２９１号公報
【特許文献２】特開平５−１９３４２４号公報
【特許文献３】特開２００７−６８３１２号公報
【発明の概要】
【発明が解決しようとする課題】
【０００５】
シリコーン等の止水剤を用いて電線群間の隙間を止水する態様では、電線群間に止水剤を隙間なく充填させる作業に非常に手間がかかる。また、止水剤の材料費等のためにコストが高くなるという難点もある。
【０００６】
また、特許文献１の技術では、必要とされる止水を担保するためには、ワイヤーハーネスの露出部分の全体を隈無く完全に覆わなければならず、部品管理に手間とコストがかかってしまうという難点がある。
【０００７】
また、特許文献２の技術においては、ワイヤーハーネスの配索形態が防水テープで規定されるため、ワイヤーハーネスの経路が適切に維持されない可能性がある。
【０００８】
また、特許文献３の技術においては、複雑な形状の樹脂成型物を形成しなければならないため、製造コストがかかり、部品管理も容易ではない。
【０００９】
この発明は、浸水領域と非浸水領域とを区分するパネルに形成された、ワイヤーハーネス挿通用の貫通孔からの浸水を、簡易かつ十分に、防止することを目的とする。
【課題を解決するための手段】
【００１０】
第１の態様は、少なくとも１本の電線を有するワイヤーハーネス本体部を、浸水領域の内と外とを仕切るパネルに形成された貫通孔に貫通配索させる、ワイヤーハーネスの配索構造であって、前記ワイヤーハーネス本体部に外装されて、前記貫通孔に装着されるグロメットと、長手方向に沿って形状を維持するように形成された長尺部材であり、前記グロメットに取り付けられる経路規制部材と、を備え、前記経路規制部材における、前記浸水領域に配置される部分の少なくとも一部が、下方に向けて傾斜しており、前記ワイヤーハーネス本体部が、前記経路規制部材の前記傾斜した部分に沿って配設される。
【００１１】
第２の態様は、第１の態様に係るワイヤーハーネスの配索構造であって、前記経路規制部材が、筒状の部材であり、前記ワイヤーハーネス本体部が、前記経路規制部材の筒内部に挿通される。
【００１２】
第３の態様は、第１の態様に係るワイヤーハーネスの配索構造であって、前記経路規制部材が、下向きに開く樋状の部材であり、前記ワイヤーハーネス本体部が、前記経路規制部材の溝内部に沿って配設される。
【００１３】
第４の態様は、第１から第３のいずれか一つの態様に係るワイヤーハーネスの配索構造であって、前記経路規制部材が、前記経路規制部材の外周面に形成され、前記経路規制部材を把持する際の指の引っ掛かりとなる把持用突起部、をさらに備える。
【００１４】
第５の態様は、第１から第４のいずれか一つの態様に係るワイヤーハーネスの配索構造であって、前記グロメットの内部に前記経路規制部材が挿通され、前記グロメットが、その内部に挿通された前記経路規制部材を外周側から締め付けることによって、前記経路規制部材が前記グロメットに取り付けられる。
【００１５】
第６の態様は、ワイヤーハーネスであって、少なくとも１本の電線を有するワイヤーハーネス本体部と、浸水領域の内と外とを仕切るパネルに形成された貫通孔に装着されるグロメットと、長手方向に沿って形状を維持するように形成された長尺部材であり、前記グロメットに取り付けられる経路規制部材と、を備え、前記経路規制部材における、前記浸水領域に配置される部分の少なくとも一部が、下方に向けて傾斜しており、前記ワイヤーハーネス本体部が、前記経路規制部材の前記傾斜した部分に沿って配設される。
【発明の効果】
【００１６】
第１、第６の態様によると、浸水領域において、ワイヤーハーネス本体部が、経路規制部材の下方に向けて傾斜した部分に沿って配設される。この構成によると、貫通孔を介しての非浸水領域への浸水を、簡易かつ十分に防止できる。
【００１７】
第２の態様によると、経路規制部材が、ワイヤーハーネス本体部を内部に挿通させる筒状の部材であるので、ワイヤーハーネスの経路を確実に規制することができる。また、経路規制部材に挿通された部分において、ワイヤーハーネス本体部が、周囲に存在する物体と接触して損傷等しないように保護することができる。
【００１８】
第３の態様によると、経路規制部材が樋状の部材であるので、経路規制部材の構成を簡易なものとすることができる。
【００１９】
第４の態様によると、経路規制部材の外周面に、経路規制部材を把持する際の指の引っ掛かりとなる把持用突起部が形成される。この構成によると、把持用突起部に指を引っかけて経路規制部材を把持して、グロメットを貫通孔に嵌め入れることができる。この構成によると、グロメットをパネルに形成された貫通孔に装着する作業の作業性を向上させることができる。
【００２０】
第５の態様によると、グロメットが、内部に挿通された経路規制部材を外周側から締め付けることによって、経路規制部材がグロメットに取り付けられる。この構成によると、経路規制部材とグロメットとの隙間からの水の侵入が抑制され、貫通孔を介しての非浸水領域への浸水を、より効果的に防止できる。
【図面の簡単な説明】
【００２１】
【図１】ワイヤーハーネスの配索構造を示す概略側面図である。
【図２】経路規制部材の斜視図である。
【図３】一対の分割部材が分離された状態を示す斜視図である。
【図４】グロメットの装着作業を説明するための図である。
【図５】変形例に係るワイヤーハーネスの配索構造を示す概略側面図である。
【図６】変形例に係るワイヤーハーネスの配索構造を示す概略側面図である。
【発明を実施するための形態】
【００２２】
以下、添付の図面を参照しながら、本発明の実施形態について説明する。以下の実施形態は、本発明を具体化した一例であって、本発明の技術的範囲を限定するものではない。
【００２３】
＜１．ワイヤーハーネスの配索構造＞
ワイヤーハーネス１０の配索構造（以下、端に「配索構造」ともいう）１００について、図１〜図４を参照しながら説明する。図１は、配索構造１００を示す概略側面図である。図２は、経路規制部材３の斜視図である。図３は、一対の分割部材３１，３２が分離された状態を示す斜視図である。図４は、グロメット２の装着作業を説明するための図である。
【００２４】
配索構造１００は、自動車などの車両内において、浸水領域８１（例えば、エンジンルーム）と、非浸水領域８２（例えば、車室内）とを仕切るパネル８（例えば、車体パネル）に形成された貫通孔８０に、ワイヤーハーネス本体部１を挿通配索させる構造である。後に明らかになるように、配索構造１００は、貫通孔８０を介しての浸水領域８１から非浸水領域８２への水の侵入を防止可能な構造（浸水防止構造）となっている。
【００２５】
配索構造１００は、ワイヤーハーネス本体部１と、グロメット２と、経路規制部材３とを備える。
【００２６】
＜ワイヤーハーネス本体部１＞
ワイヤーハーネス本体部１は、例えば、複数の電線が結束された構成とされている。ただし、ワイヤーハーネス本体部１は、単一の電線によって構成されていてもよい。また、ワイヤーハーネス本体部１には、他の光ケーブル等が結束されていてもよい。また、ワイヤーハーネス本体部１には、電線束の外周部にテープ、シート等の巻き付けが施されている部分があってもよい。
【００２７】
＜グロメット２＞
グロメット２は、エラストマー（例えば、ゴム）などの弾力性のある止水性部材から構成される。グロメット２は、先端にいくにしたがって拡径した断面円形状の車体装着部２１と、車体装着部２１の縮径端と連続した円筒形状の電線挿通部２２とを備える。
【００２８】
車体装着部２１の拡径端の側外周部にはその周方向に沿って係止溝２１１が形成されており、係止溝２１１がパネル８に形成される貫通孔８０の周縁に係止することによって、グロメット２がパネル８に装着される。グロメット２がパネル８に装着された状態において、係止溝２１１の一対の側壁がパネル８の表裏面にそれぞれ密着するともに、係止溝２１１の底面が貫通孔８０の周縁に密着することによって、グロメット２と貫通孔８０との間が塞がれた（シールされた）状態となる。これによって、グロメット２と貫通孔８０との間の隙間からの浸水、ゴミの侵入、音漏れ等が抑制される。
【００２９】
電線挿通部２２の内壁は、経路規制部材３（具体的には、経路規制部材３の水平部分３０２）の外周に密着する。すなわち、電線挿通部２２の内径は、経路規制部材３の外径よりも小さく、内部に挿通された経路規制部材３を、弾性力で外周側から締め付ける。
【００３０】
グロメット２を経路規制部材３に外装された状態とする作業は、例えば、作業者が、拡張機等を用いてグロメット２を拡径させ、拡径されたグロメット２に、経路規制部材３（具体的には、ワイヤーハーネス本体部１に取り付けられた状態の経路規制部材３）を挿通させて、電線挿通部２２の内周側に経路規制部材３の水平部分３０２が配置された状態とし、その後に、拡張機によるグロメット２の拡径を解除することによって行われる。拡径が解除されると、拡径されたグロメット２が、弾性回復力によって、元の状態に縮径しようとして、電線挿通部２２の内壁が経路規制部材３（具体的には、経路規制部材３の水平部分３０２）の外周に当接した状態となる。これによって、グロメット２が経路規制部材３に外装されることになる。
【００３１】
また、ワイヤーハーネス本体部１に取り付けられた状態の経路規制部材３に外装されたグロメット２を、パネル８に形成された貫通孔８０に装着された状態とする作業（以下、「グロメット２の装着作業」ともいう）は、図４に示されるように、ワイヤーハーネス本体部１に取り付けられた状態の経路規制部材３に外装されたグロメット２を、車体装着部２１の拡径端が浸水領域８１側に、車体装着部２１の縮径端が非浸水領域８２側に、それぞれ配置された状態とし、この状態から、グロメット２を、縮径端側に向かって押して、車体装着部２１の拡径端の側外周部に形成された係止溝２１１が、貫通孔８０の周縁に係止された状態とすることによって行われる。
【００３２】
＜経路規制部材３＞
経路規制部材３は、図２に示されるように、長手方向に沿う屈曲形状を維持できるように形成された長尺筒状の部材である。経路規制部材３は、その筒内径が、ワイヤーハーネス本体部１の外径よりも大きく形成されており、筒内部に、ワイヤーハーネス本体部１を挿通可能に形成されている。また、経路規制部材３は、断面が楕円形状（長軸を鉛直方向に沿わせる楕円形状）に形成されている。ただし、経路規制部材３は、内部にワイヤーハーネス本体部１を挿通できる筒体であればよく、その断面は必ずしも楕円でなくてもよい。例えば、断面円形状であってもよいし、断面多角形状であってもよい。
【００３３】
経路規制部材３は、図３に示されるように、屈曲した筒体を半分に分割した断面半楕円弧状の分割部材３１，３２が、互いに突き合わされて筒状とされることにより形成される。一対の分割部材３１，３２のそれぞれは、例えば、ポリアミド（ＰＡ）、ポリプロピレン（ＰＰ）、ポリブチレンテレフタレート（ＰＢＴ）又はＡＢＳ樹脂などの樹脂を例えば一体成形することにより形成される。一対の分割部材３１，３２でワイヤーハーネス本体部１を挟み込んで、分割部材３１，３２を突き合わせて筒状とすることによって、経路規制部材３の筒内部にワイヤーハーネス本体部１が挿通された状態を形成することができる。
【００３４】
ここで、一対の分割部材３１，３２それぞれの、周方向に沿う両端面３３，３３は、波形状（具体的には、分割部材３１，３２の延在方向に沿って延びる凹条部と、分割部材３１，３２の延在方向に沿って延びる凸条部とが交互に繰り返して形成された波形状（凹凸面））に形成されている。そして、一対の分割部材３１，３２が突き合わせて筒体とされた状態において、一方の分割部材３１の周方向に沿う両端面３３，３３のそれぞれに形成された凹条部および凸条部が、他方の分割部材３２の周方向に沿う両端面３３，３３のそれぞれに形成された凸条部および凹条部と、噛み合わされた状態とされる。これによって、突き合わせ面から毛細管現象によって水が吸い上がる現象が生じにくくなっている。また、これによって、各分割部材３１，３２は、突き合わせ状態から位置ずれをおこしにくくなっている。さらに、各端面３３，３３を、分割部材３１，３２の外周側に近づくにつれて、鉛直下方に傾斜させて形成しておくことも好ましい。この構成によれば、突き合わせ面からの毛細管現象による水の吸い上がりがさらに生じにくくなる。また、突き合わせ状態からの位置ずれが、さらにおこりにくくなる。
【００３５】
経路規制部材３は、その筒内部にワイヤーハーネス本体部１が挿通された状態とされることによって、ワイヤーハーネス本体部１に取り付けられる（図２に示される状態）。経路規制部材３が取り付けられた状態において、ワイヤーハーネス本体部１は、経路規制部材３の長手方向に沿って配設されることになる。すなわち、ワイヤーハーネス本体部１における、経路規制部材３に挿通された部分は、経路規制部材３の形状に沿って曲げられた状態となる。つまり、経路規制部材３は、その延在方向に沿う形状に、ワイヤーハーネス本体部１の経路を規制する部材として機能する。
【００３６】
ここで、経路規制部材３の形状について、具体的に説明する。経路規制部材３の延在途中には、一方の端部（上側端部）Ｑ１から遠ざかるにつれて下方（鉛直下方）に向けて傾斜する傾斜部分３０１が設けられる。また、上側端部Ｑ１と傾斜部分３０１とを連結する部分は、水平面内に延在する水平部分３０２を構成する。ただし、傾斜部分３０１と水平部分３０２とは、滑らかに連結されており、経路規制部材３は、上側端部Ｑ１から延在する水平部分３０２の先端から、鉛直下方に向けて緩やかに（弧状に）曲げられて、傾斜部分３０１に連なる形状となっている。
【００３７】
水平部分３０２は、上述したとおり、グロメット２の電線挿通部２２が外装される装着領域となる。水平部分３０２に外装されたグロメット２が、パネル８に形成された貫通孔８０に装着された状態において、経路規制部材３の上側端部Ｑ１は非浸水領域８２の側に配置され、他方の端部（下側端部Ｑ２）が浸水領域８１の側に配置される。したがって、水平部分３０２に外装されたグロメット２が貫通孔８０に装着された状態において、傾斜部分３０１は、浸水領域８１に配置されることになる。すなわち、経路規制部材３における、浸水領域８１に配置される部分の少なくとも一部が、下方に向けて傾斜した形状となる。
【００３８】
傾斜部分３０１が形成されることによって、経路規制部材３の上側端部Ｑ１は、下側端部Ｑ２に対して、高低差Ｄだけ鉛直上方に配置されることになる。ここで、高低差Ｄは、好ましくは、３０ｍｍ以上であり、より好ましくは、５０ｍｍ以上であり、さらに好ましくは、１００ｍｍ以上である。また、経路規制部材３の曲げ角度（すなわち、傾斜部分３０１と水平部分３０２とがなす角度）θは、１８０度より小さい範囲で、９０度より大きいことが好ましい。また、より好ましくは、１３０度以上であり、さらに好ましくは、１４０度以上である。
【００３９】
経路規制部材３が、その延在途中に高低差Ｄを有する形状とされることによって、配索構造１００は、貫通孔８０を介しての浸水領域８１から非浸水領域８２への水の侵入を防止可能な構造（浸水防止構造）となっている。すなわち、浸水領域８１において、ワイヤーハーネス本体部１は、経路規制部材３の長手方向に沿わせて配設されることによって、その延在方向に沿う一部が、貫通孔８０から遠ざかるにつれて鉛直下方に向けて傾斜して高低差Ｄを形成するような経路に規制される。したがって、ワイヤーハーネス本体部１における、下側端部Ｑ２から引き出された先の部分に水がかっても、その水は、ワイヤーハーネス本体部１の傾斜した経路部分において、ワイヤーハーネス本体部１に沿って、貫通孔８０から遠ざかる方向に流れ落ちることになり、当該水がワイヤーハーネス本体部１を伝って浸水領域８１に入り込むことがない。なお、上述したとおり、経路規制部材３の筒内径が、ワイヤーハーネス本体部１の外径よりも大きく形成されているため、ワイヤーハーネス本体部１における、下側端部Ｑ２から引き出された先の部分が被水しても、その水が毛細管現象によりワイヤーハーネス本体部１を伝って非浸水領域８２に水が入り込むようなことはない。
【００４０】
ところで、グロメット２の装着作業は、上述したとおり、グロメット２（車体装着部２１の拡径端が浸水領域８１側に、車体装着部２１の縮径端が非浸水領域８２側に、それぞれ配置された状態のグロメット２）を、車体装着部２１の縮径端側に向かって押して、車体装着部２１の拡径端の側外周部に形成された係止溝２１１が、貫通孔８０の周縁に係止された状態とすることによって行われる。
【００４１】
グロメット２の装着作業において、作業者は、図４に示されるように、経路規制部材３を把持してこれを矢印ＡＲ１方向に押すことによって、経路規制部材３に取り付けられているグロメット２を貫通孔８０に簡単に嵌め入れることができる。経路規制部材３には、上述したとおり、傾斜部分３０１が形成されているため、ここを把持すれば、水平面内に沿って押す力をこめやすく、当該作業を簡単に行うことができる。つまり、ここでは、経路規制部材３が、ワイヤーハーネス本体部１の経路を規制する部材として機能するとともに、グロメット２の装着作業における把持部としても機能するため、グロメット２の装着作業の作業性が向上する。
【００４２】
ここで、経路規制部材３の外周面には、経路規制部材３を把持する際の指の引っ掛かりとなる把持用突起部４が形成されることが好ましい。把持用突起部４が形成されていれば、作業者が、経路規制部材３を把持してこれを押す際に、指滑りがおきにくく、力をこめやすいため、グロメット２の装着作業の作業性がさらに向上する。把持用突起部４は、どのような形状であってもよいが、例えば、経路規制部材３の鉛直上方側の外周面領域であって、傾斜部分３０１から水平部分３０２へと連なる部分に設けられた凸状の突起（上側突起）４１と、経路規制部材３の鉛直下方側の外周面領域であって、傾斜部分３０１の延在途中に設けられた凸状の突起（下側突起）４２とを含むものとすることができる。この場合、経路規制部材３が把持された際に、上側突起４１は親指の引っ掛かりとなり、下側突起４２は人差し指等の引っ掛かりとなる。上側突起４１は、着設側の底面および頂端面が例えば角丸の矩形であり、底面から頂端面に近づくにつれて先細となる形状とし、さらに、上側突起４１の前側面（水平部分３０２側の面）と後側面（傾斜部分３０１側の面）のそれぞれは、僅かに窪んだ形状に形成されていることが好ましい。この構成によると、経路規制部材３の上側において、その延在方向に沿うように配置される親指が引っ掛かりやすい。また、下側突起４２は、着設側の底面が円形であり、上下に沿う中心線に近づくにつれて盛り上がった形状とすることができる。この構成によると、経路規制部材３の下側において、その周方向に沿うように配置される人差し指が引っ掛かりやすい。なお、各突起４１，４２の上端面は角が丸められた形状とされていることが好ましい。
【００４３】
＜２．効果＞
上記の実施の形態によると、浸水領域８１において、ワイヤーハーネス本体部１が、経路規制部材３の傾斜部分３０１に沿って配設される。つまり、浸水領域８１において、ワイヤーハーネス本体部１は、その延在方向に沿う一部が、貫通孔８０から遠ざかるにつれて鉛直下方に向けて傾斜した高低差Ｄを形成するような経路に規制される。この構成によると、ワイヤーハーネス本体部１にかかった水が、ワイヤーハーネス本体部１を伝って浸水領域８１に入り込むことがないため、貫通孔８０を介しての非浸水領域８２への浸水が簡易かつ十分に防止される。
【００４４】
また、ワイヤーハーネス１０の浸水領域８１側に配置された部分に高低差Ｄを形成することによって、貫通孔８０を介しての非浸水領域８２への浸水を防止する態様によると、ワイヤーハーネス本体部１が被水しないようにその周囲を完全に覆う必要がないので、配索構造１００の構成を簡易なものとすることができる。また、この態様によると、経路規制部材３の内壁とワイヤーハーネス本体部１との間に隙間があったとしても、貫通孔８０を介しての非浸水領域８２への浸水は問題なく防止される。経路規制部材３の内壁がワイヤーハーネス本体部１に密接していることが必須でなくなると、ワイヤーハーネス本体部１の径サイズに応じたサイズのグロメットと経路規制部材３とをそれぞれ準備する必要がない。つまり、径サイズが異なる複数種類のワイヤーハーネス本体部間で、グロメットおよび経路規制部材３を共用化することができる。したがって、電線挿通部２２の径サイズが異なるグロメットおよび各グロメットに応じた経路規制部材３を多数準備しておく必要がなくなる。
【００４５】
また、上記の実施の形態によると、経路規制部材３が、ワイヤーハーネス本体部１を内部に挿通させる筒状の部材であるので、ワイヤーハーネス本体部１の経路を確実に規制できるという利点も得られる。また、経路規制部材３が装着された部分において、ワイヤーハーネス本体部１は、その周囲が経路規制部材３に覆われた状態となる。したがって、車両に搭載された状態において、ワイヤーハーネス本体部１の当該部分が周囲に存在する物体と接触して損傷等しないように保護される。
【００４６】
また、上記の実施の形態によると、経路規制部材３が、グロメット２の装着作業において、作業者の把持部としても機能するため、グロメット２の装着作業の作業性が向上する。特に、経路規制部材３の曲げ角度θが、９０度より大きく（より好ましくは、１３０度以上であり、さらに好ましくは、１４０度以上）とされていると、作業者は経路規制部材３を特に把持しやすく、グロメット２の装着作業の作業性がさらに向上する。
【００４７】
また、上記の実施の形態においては、経路規制部材３の外周面に、経路規制部材３を把持する際の指の引っ掛かりとなる把持用突起部４が形成されているので、把持用突起部４に指を引っかけて経路規制部材３を把持して、これに対して固定されているグロメット２を貫通孔８０に嵌め入れることができる。この構成によると、グロメット２の装着作業の作業性がさらに向上する。
【００４８】
また、上記の実施の形態においては、グロメット２が経路規制部材３に外装されることによって（具体的には、グロメット２の電線挿通部２２が、その内部に挿通された経路規制部材３を、外周側から締め付けることによって）、経路規制部材３がグロメット２に取り付けられる。この構成によると、電線挿通部２２の内壁と経路規制部材３の外周とが密着状態となる。したがって、経路規制部材３とグロメット２との隙間からの水の侵入が抑制され、貫通孔８０を介しての非浸水領域８２への浸水を、より効果的に防止できる。
【００４９】
また、上記の実施の形態においては、経路規制部材３における、グロメット２の装着領域（水平部分３０２）が、水平面内に延在する形状とされているので、グロメット２を、その電線挿通部２２がパネル８に対して直交するような姿勢で、パネル８に装着することができる。したがって、グロメット２をパネル８に対して適切な姿勢で装着することができる。
【００５０】
また、上記の実施の形態においては、経路規制部材３が鉛直下方に向けて曲がっているので、経路規制部材３が取り付けられることによってグロメット２の上下方向が一目でわかる。したがって、グロメット２を正しい向きでパネル８に装着するための確認作業を簡単に行うことができる。
【００５１】
＜３．変形例＞
上記の実施の形態において、経路規制部材３は、長手方向に沿って少なくとも一部が傾斜した形状を維持できる部材であればよく、必ずしも上述した態様でなくともよい。例えば、図５に示されるように、経路規制部材３ａは、例えば、下向きに開く樋状の部材により形成されてもよい。ただし、「樋状の部材」とは、互いに対向する一対の側壁と底壁とを備えることにより溝を形成する部材であり、例えば、底面と側壁とが滑らかに連なった断面円弧状の部材である。この変形例においても、経路規制部材３ａには、下方（鉛直下方）に向けて傾斜する傾斜部分３０１ａと、上側端部Ｑ１と傾斜部分３０１ａとを連結する、水平面内に延在する水平部分３０２ａとが設けられる。ワイヤーハーネス本体部１は、経路規制部材３ａの溝内部に沿わせられることによって、経路規制部材３ａの形状に沿って曲げられた状態となる。すなわち、ワイヤーハーネス本体部１は、その延在方向に沿う一部が、貫通孔８０から遠ざかるにつれて鉛直下方に向けて傾斜して高低差を形成するような経路に規制される。また、この変形例においても、経路規制部材３ａには、これを把持する際の指の引っ掛かりとなる把持用突起部４ａとして、例えば、上述した上側突起４１ａが形成されることが好ましい。
【００５２】
この変形例においても、配索構造１００ａは、貫通孔８０を介しての浸水領域８１から非浸水領域８２への水の侵入を防止可能な構造となる。特に、この変形例によると、経路規制部材３ａが、ワイヤーハーネス本体部１を溝内部に沿わせる樋状の部材であるので、経路規制部材３ａの構成をさらに簡易なものとすることができる。
【００５３】
また、上記の実施の形態に係るグロメット２は車体装着部２１の拡径端側が浸水領域８１に配置されるものであったが、グロメット２ｂは、図６に示されるように、車体装着部２１ｂの縮径端側が浸水領域８１に配置されるタイプのものであってもよい。この変形例においては、グロメット２ｂの装着作業は、作業者が、経路規制部材３を把持してこれを矢印ＡＲ２方向に引っ張って、ワイヤーハーネス本体部１に取り付けられた状態の経路規制部材３に外装されているグロメット２ｂを貫通孔８０に嵌め入れることによって行われる。経路規制部材３には、傾斜部分３０１が形成されているために、ここを把持すれば、水平面内に沿って引っ張る力をこめやすく、当該作業を簡単に行うことができる。つまり、ここでも、経路規制部材３が、グロメット２ｂの装着作業における把持部としても機能するため、グロメット２ｂの装着作業の作業性が向上する。
【００５４】
また、上記の実施の形態において、経路規制部材３の上側端部Ｑ１およびその付近を、上側端部Ｑ１に近づくにつれて上方（鉛直上方）に向けて傾斜する形状としてもよい。この構成によると、非浸水領域８２において、ワイヤーハーネス本体部１は、経路規制部材３の長手方向に沿わせて配設されることによって、その延在方向に沿う一部が、貫通孔８０から遠ざかるにつれて鉛直上方に向けて傾斜して高低差を形成するような経路に規制される。したがって、ワイヤーハーネス本体部１における、下側端部Ｑ２から引き出された先の部分に水がかっても、その水がワイヤーハーネス本体部１を伝って浸水領域８１により入り込みにくくなる。
【００５５】
また、上記の実施の形態において、把持用突起部４の形状は、上述したものに限られるものではない。例えば、把持用突起部は、延在方向に沿う両端が曲げられて経路規制部材３の外周面に着設され、指を入れて把持できるような取っ手の形状であってもよい。
【００５６】
また、上記の実施の形態において、経路規制部材３の両端部のそれぞれに、固定ベラを形成し、経路規制部材３の筒内部に挿通されたワイヤーハーネス本体部１の外周側に、経路規制部材３の当該固定ベラが配設された状態で、固定ベラを巻き込むように、外周からテープ等を巻き付けて、これによって、ワイヤーハーネス本体部１が経路規制部材３に対して固定される構成としてもよい。
【００５７】
また、上記の実施の形態においては、グロメット２が、その内部に挿通された経路規制部材３を外周側から締め付けることによって、経路規制部材３がグロメット２に取り付けられる構成であったが、これに加えて（あるいは、これに代えて）、経路規制部材３の外周側に、グロメット２に形成された固定ベラが配設された状態で、固定ベラを巻き込むように、外周からテープ等を巻き付けて、これによって、経路規制部材３がグロメット２に対して固定される構成を採用してもよい。
【００５８】
また、上記の実施の形態において、ワイヤーハーネス本体部１における、経路規制部材３が外装された領域の全部、あるいは少なくとも一部の領域に、止水領域が形成されてもよい。止水領域は、例えば、ワイヤーハーネス本体部１の電線群の隙間に止水剤等を充填することにより形成することができる。この変形例においては、貫通孔８０を介して浸水領域８１から非浸水領域８２への浸水を、より確実に防止できる。
【符号の説明】
【００５９】
１  ワイヤーハーネス本体部
２，２ｂ  グロメット
３，３ａ  経路規制部材
３０１  傾斜部分
３０２  水平部分
４  把持用突起部
４１，４１ａ  上側突起
４２  下側突起
１０  ワイヤーハーネス
１００，１００ａ  配索構造
【図１】
2013128352.tif 000003
【図２】
2013128352.tif 000004
【図３】
2013128352.tif 000005
【図４】
2013128352.tif 000006
【図５】
2013128352.tif 000007
【図６】
2013128352.tif 000008